(57)【要約】  外力や温度変化により金属製支持部及び光学支持部の一方又は双方が変形しても、光学部の光軸のぶれが生じることを抑制できる車載用光源ユニットを提供する。車載用光源ユニット（２０）において、光学部（３）を支持する光学支持部（２）と、金属製支持部（１）と、金属製支持部（１）と光学支持部（２）とを部分的に互いに固定する固定部（６）と、金属製支持部（１）と光学支持部（２）とを部分的に互いに摺動可能に支持する摺動部（７）と、を備え、摺動部（７）は、摺動方向（Ｈ）に、金属製支持部（１）と光学支持部（２）とが互いに摺動可能であり、摺動方向（Ｈ）に直交する支持方向（Ｓ）の両側に、金属製支持部（１）に対して光学支持部（２）を支持すると共に光学支持部（２）に対して金属製支持部（１）を支持する。
2016203945.tif 000002
【特許請求の範囲】
【請求項１】
発光部と、
前記発光部の光を導く光学部と、
前記光学部を支持する光学支持部と、
金属製支持部と、
前記金属製支持部と前記光学支持部とを部分的に互いに固定する固定部と、
前記金属製支持部と前記光学支持部とを部分的に互いに摺動可能に支持する摺動部と、
を備え、
前記摺動部は、予め定められた摺動方向に、前記金属製支持部と前記光学支持部とが互いに摺動可能であり、前記摺動方向に直交する予め定められた支持方向の一方側及び他方側の両側に、前記金属製支持部に対して前記光学支持部を支持すると共に前記光学支持部に対して前記金属製支持部を支持する車載用光源ユニット。
【請求項２】
前記光学支持部は、樹脂製にされている請求項１に記載の車載用光源ユニット。
【請求項３】
前記摺動部は、前記光学支持部の端部に配置されている請求項１又は２に記載の車載用光源ユニット。
【請求項４】
前記固定部は、一つ備えられ、
前記摺動部は、複数備えられている請求項１から３のいずれか一項に記載の車載用光源ユニット。
【請求項５】
前記摺動方向は、前記光学支持部の長手方向と平行状にされている請求項１から４のいずれか一項に記載の車載用光源ユニット。
【請求項６】
前記金属製支持部は、基礎部に対する当該金属製支持部の取付角度を調節可能な角度可変連結部により前記基礎部に連結されている請求項１から５のいずれか一項に記載の車載用光源ユニット。
【請求項７】
前記摺動方向は、前記光学部の光軸方向と直交状にされている請求項１から６のいずれか一項に記載の車載用光源ユニット。
【請求項８】
前記支持方向は、前記光学部の光軸方向と平行状にされている請求項１から７のいずれか一項に記載の車載用光源ユニット。
【請求項９】
前記摺動部は、前記摺動方向に交差する方向に隙間を有し、当該隙間分だけ、当該隙間が設けられた方向に摺動可能になっている請求項１から８のいずれか一項に記載の車載用光源ユニット。
【請求項１０】
前記固定部は、一つ備えられ、
前記摺動部は、前記固定部を中心とした放射状に複数備えられ、
前記摺動部のそれぞれの前記摺動方向は、前記固定部を中心とした放射方向に平行状にされている請求項１から９のいずれか一項に記載の車載用光源ユニット。
【請求項１１】
前記発光部は、前記光学支持部を介さずに、前記金属製支持部に固定されている請求項１から１０のいずれか一項に記載の車載用光源ユニット。
【請求項１２】
前記摺動部は、前記金属製支持部及び前記光学支持部のいずれか一方側に設けられた溝状の摺動溝部と、他方側に設けられ、前記摺動溝部に摺動可能に嵌合される凸状の摺動突部と、を備え、
前記摺動方向は、前記摺動溝部の延出方向とされ、前記支持方向は、前記摺動溝部の横幅方向とされている請求項１から１１のいずれか一項に記載の車載用光源ユニット。
【請求項１３】
前記摺動部は、前記金属製支持部側の部分に、前記摺動方向に延びると共に支持方向の一方側を向く摺動面と支持方向の他方側を向く摺動面とを有し、前記光学支持部側の部分に、前記金属製支持部側の部材の摺動面のそれぞれと対向する二つの摺動面を有している請求項１から１２のいずれか一項に記載の車載用光源ユニット。
【請求項１４】
前記摺動部は、前記金属製支持部及び前記光学支持部のいずれか一方側に設けられた柱状の柱状部と、他方側に設けられ、前記柱状部に摺動可能に嵌合する筒状の筒状部と、を備え、
前記摺動方向は、前記柱状部の軸方向とされ、前記支持方向は、前記柱状部の径方向とされている請求項１から１１のいずれか一項に記載の車載用光源ユニット。
【請求項１５】
前記摺動部は、前記金属製支持部及び前記光学支持部のいずれか一方側に固定される頭付きのねじと、他方側に設けられ、前記ねじが貫通する貫通穴が、前記ねじの貫通方向に直交する横方向に長くなった横長貫通穴部と、を備え、
前記摺動方向は、前記横方向とされ、前記支持方向は、前記貫通方向とされている請求項１から１１のいずれか一項に記載の車載用光源ユニット。
【請求項１６】
前記金属製支持部は、弾性部材を介して支持されている請求項１から１５のいずれか一項に記載の車載用光源ユニット。
【請求項１７】
前記摺動部における前記光学支持部側の摺動部分は、金属製とされている請求項１から１６のいずれか一項に記載の車載用光源ユニット。
【請求項１８】
前記摺動部における前記光学支持部側の摺動部分は、樹脂製の前記光学支持部にインサート成型された金属部の部分とされている請求項１から１７のいずれか一項に記載の車載用光源ユニット。  
【発明の詳細な説明】
【技術分野】
【０００１】
本発明は、発光部及び光学部が支持部に支持された車載用光源ユニットに関するものである。
【背景技術】
【０００２】
上記のような車載用光源ユニットについて、下記の特許文献１に記載された車載用光源ユニットが知られている。特許文献１の技術では、発光部及び光学部としての発光ダイオード及び投影レンズが、金属製の光源支持ブロックにより支持され、複数の光源支持ブロックが、共通の金属製支持部材に支持されるように構成されている。そのため、特許文献１の技術では、各発光ダイオードが発生した熱は、熱伝導性よく、金属製の光源支持ブロックを介して、金属製支持部材に伝達され、発光ダイオードの昇温が抑制されるように構成されている。
【先行技術文献】
【特許文献】
【０００３】
【特許文献１】特開２００４−３１１２２４号公報
【発明の概要】
【発明が解決しようとする課題】
【０００４】
しかしながら、特許文献１の技術では、光源支持ブロックの下端面が、熱伝導性をよくする等のために、金属製支持部材に固定されるように構成されている（特許文献１の段落００４３）。そのため、特許文献１の技術では、外力や温度変化により、光源支持ブロック及び金属製支持部材の一方又は双方が変形すると、一方の変形が他方に伝わり、他方に反り等の変形が生じたり、一方の変形が他方により拘束されて応力が発生し、一方に反り等の変形が生じたりするおそれがあった。反り等の変形が生じると、光学部の光軸がぶれるおそれがあった。特に、光源支持ブロック及び金属製支持部材の一方又は双方を軽量化すると、変形し易くなり、光学部の光軸がぶれ易くなる。【０００５】
本発明は、上記のような問題を解決するためになされたものであり、外力や温度変化により金属製支持部及び光学支持部の一方又は双方が変形しても、光学部の光軸のぶれが生じることを抑制できる車載用光源ユニットを提供することを目的とする。
【課題を解決するための手段】
【０００６】
本発明に係る車載用光源ユニットは、発光部と、前記発光部の光を導く光学部と、前記光学部を支持する光学支持部と、金属製支持部と、前記金属製支持部と前記光学支持部とを部分的に互いに固定する固定部と、前記金属製支持部と前記光学支持部とを部分的に互いに摺動可能に支持する摺動部と、を備え、前記摺動部は、予め定められた摺動方向に、前記金属製支持部と前記光学支持部とが互いに摺動可能であり、前記摺動方向に直交する予め定められた支持方向の一方側及び他方側の両側に、前記金属製支持部に対して前記光学支持部を支持すると共に前記光学支持部に対して前記金属製支持部を支持するものである。
【発明の効果】
【０００７】
本発明に係る車載用光源ユニットによれば、金属製支持部及び光学支持部の一方又は双方が変形したとしても、摺動部が予め定められた摺動方向に摺動することにより、相対的な摺動方向の変形を逃がすことができる。そのため、変形が拘束されることにより応力が発生して反り等の変形が生じることを抑制することができると共に、一方の摺動方向の変形により他方が変形することを抑制することができる。また、摺動部により、摺動方向に直交する支持方向の一方側及び他方側の両側に、金属製支持部及び光学支持部を相互に支持し合うように構成されているので、金属製支持部及び光学支持部に、支持方向の反り等の変形が生じることを抑制できる。よって、外力や温度変化により金属製支持部及び光学支持部の一方又は双方が変形しても、光学部の光軸のぶれが生じることを抑制できる。
【図面の簡単な説明】
【０００８】
【図１】本発明の実施の形態１に係る車載用光源ユニットが車両用ランプに組み込まれた状態の概略断面図である。
【図２】本発明の実施の形態１に係る車載用光源ユニットの斜視図である。
【図３】本発明の実施の形態１に係る車載用光源ユニットの正面図である。
【図４】本発明の実施の形態１に係る車載用光源ユニットの断面図である。
【図５】本発明の実施の形態２に係る車載用光源ユニットの斜視図である。
【図６】本発明の実施の形態２に係る車載用光源ユニットの斜視図である。
【図７】本発明の実施の形態２に係る車載用光源ユニットの正面図である。
【図８】本発明の実施の形態２に係る車載用光源ユニットの断面図である。
【図９】本発明の実施の形態２に係る車載用光源ユニットの要部断面図である。
【図１０】本発明の実施の形態３に係る車載用光源ユニットの断面図である。
【図１１】本発明の実施の形態４に係る車載用光源ユニットの斜視図である。
【図１２】本発明の実施の形態４に係る車載用光源ユニットの断面図である。
【図１３】本発明の実施の形態５に係る車載用光源ユニットの断面図である。
【図１４】本発明の実施の形態６に係る車載用光源ユニットの断面図である。
【図１５】本発明の実施の形態７に係る車載用光源ユニットの斜視図である。
【図１６】本発明の実施の形態７に係る車載用光源ユニットの要部正面図である。
【発明を実施するための形態】
【０００９】
１．実施の形態１
実施の形態１に係る車載用光源ユニット２０（以下、単に光源ユニット２０と称す）について図面を参照して説明する。図１は、光源ユニット２０が、車両２２に固定されたランプ２１（本例では、前照灯）に組み込まれた状態の概略断面図であり、図２は、本実施の形態に係る光源ユニット２０を斜め前方から見た斜視図であり、図３は、光源ユニット２０を光軸方向Ｚの前側から見た正面図であり、図４は、光源ユニット２０を、図３のＡ−Ａ断面位置における、光軸方向Ｚ及び第二直交方向Ｙに平行な屈曲平面で切断した断面図である。
【００１０】
光源ユニット２０は、発光部４と、発光部４の光を導く光学部３と、を備えている。光源ユニット２０は、光学部３を支持する光学支持部２と、金属製支持部１と、金属製支持部１と光学支持部２とを部分的に互いに固定する固定部６と、金属製支持部１と光学支持部２とを部分的に互いに摺動可能に支持する摺動部７と、を備えている。そして、摺動部７は、予め定められた摺動方向Ｈに、金属製支持部１と光学支持部２とが互いに摺動可能であり、摺動方向Ｈに直交する予め定められた支持方向Ｓの一方側及び他方側の両側に、金属製支持部１に対して光学支持部２を支持すると共に光学支持部２に対して金属製支持部１を支持するように構成されている。
【００１１】
なお、本願において、光学部３の光軸Ｃに平行な方向を「光軸方向Ｚ」とし、光軸方向Ｚにおける光源ユニット２０の光の照射方向側を「前」又は「前側」とし、光源ユニット２０の光の照射方向側とは反対側を「後」又は「後側」とする。光軸方向Ｚに直交する、予め定められた直線方向を「第一直交方向Ｘ」とし、光軸方向Ｚ及び第一直交方向Ｘに直交する方向を「第二直交方向Ｙ」とする。「上」、「下」、又は「水平」は、光源ユニット２０が車両２２に搭載された状態における鉛直方向の上、下、又は水平を意味する。なお、本実施の形態では、光源ユニット２０が車両２２に搭載された状態で、第一直交方向Ｘは、水平方向に平行状にされ、第二直交方向Ｙは、上下方向に平行状にされる。
【００１２】
また、本願において、平行状とは、±１０°の範囲内、すなわち、−１０°から＋１０°の範囲内であることを意味する。また、直交状とは、９０°±１０°の範囲内、すなわち、８０°から１００°の範囲内であることを意味する。
【００１３】
１−１．光源ユニット２０の概略構成
光源ユニット２０は、発光部４及び光学部３が、光学支持部２及び金属製支持部１等により構成される支持部により支持されたユニットとされている。図１に示すように、光源ユニット２０は、四輪や二輪の自動車などの車両２２に固定されて、車両２２の前方や後方などの周囲を照らす車両用のランプ２１に組み込まれる。ランプ２１は、周囲を囲む壁を形成し、前側が開口した中空状のランプボディ２４と、ランプボディ２４の開口部を覆う、透光性の透光カバー２５と、を備えている。ランプボディ２４と透光カバー２５とにより囲まれたランプ室内に、光源ユニット２０が配置される。なお、ランプ２１に、複数の光源ユニット２０が設けられてもよい。
【００１４】
ランプボディ２４は、不図示の締結部材により車両２２に固定され、車両２２に対して位置決めされる。ランプボディ２４は、光源ユニット２０が連結される基礎部２３を有している。図１に示す例では、ランプボディ２４の後側の壁の部分が、基礎部２３とされている。光源ユニット２０は、金属製支持部１が連結部１０により基礎部２３に連結されることにより、基礎部２３に対して位置決めされる。
【００１５】
本実施の形態では、ランプ２１は、車両用の前照灯とされている。連結部１０は、ランプ２１の基礎部２３に対する金属製支持部１の取付角度を調節可能な角度可変連結部１０とされている。よって、角度可変連結部１０により、車両２２に対する光源ユニット２０の光軸Ｃの角度を調節可能にされている。なお、角度可変連結部１０の構成は後述する。
【００１６】
発光部４は、電力の供給により発光する発光部品を備えている。本実施の形態では、発光部４に、発光ダイオードが用いられている。発光部４は、単数又は複数の発光ダイオードのチップが、熱伝導性の基板上に固定されて構成されている。なお、発光部品に、レーザダイオードや、ＨＩＤ（Ｈｉｇｈ  Ｉｎｔｅｎｓｉｔｙ  Ｄｉｓｃｈａｒｇｅｄ）ランプや、ハロゲンランプ等が用いられてもよい。
【００１７】
光学部３は、発光部４が発生した光を導くために、屈折したり反射したりする、レンズや反射板やプリズムなどの単数又は複数の光学部品を備えている。本実施の形態では、光学部３は、レンズ３０からなり、本例では、前面が、円筒面であり、後面が平面である平凸シリンドリカルレンズとされている。レンズ３０は、円筒面の延出方向に長くされている。第一直交方向Ｘは、レンズ３０の円筒面の延出方向に平行であるものとする。レンズ３０は、円筒面の延出方向に長くなっており、レンズ３０の長手方向は、第一直交方向Ｘに平行になっている。なお、光学部３は、複数のレンズから構成されてもよい。
【００１８】
光学部３の光軸Ｃは、光学系において、系全体を通過する光束の代表となる仮想的な光線を指す。レンズの前後両面が曲面である場合は、光軸Ｃは、レンズの前面の曲率中心とレンズの後面の曲率中心を通る直線となり、レンズの前後いずれか一方の面が曲面であり、いずれか他方の面が平面である場合は、光軸Ｃは、曲面の曲率中心を通り、平面に直交する直線となる。シリンドリカルレンズの場合は、光軸Ｃは、前面及び後面に係る円筒面の延出方向に直交する断面形状における円弧の曲率中心を通る直線や、直線に直交する直線となる。
【００１９】
光学支持部２は、光学部３を支持する部材である。本実施の形態では、光学支持部２は、樹脂製とされている。樹脂には、プラスチックなどが用いられる。ここで、樹脂製であるとは、骨格となる主要な部分が樹脂で形成されており、部分的に金属などの樹脂以外の材質が用いられている場合も含むものとする。
【００２０】
詳細は後述するが、光学支持部２は、固定部６及び摺動部７を介して、金属製支持部１により支持されている。光学支持部２は、光学部３を支持する光学ケース部３１と、固定部６における光学支持部２側の部分を構成する光学側固定部３３と、摺動部７における光学支持部２側の部分を構成する光学側摺動部３４と、を備えている。光学ケース部３１、光学側固定部３３、及び光学側摺動部３４は、互いに連結された、一体的な部材とされている。本実施の形態では、一つの光学側固定部３３と、二つの光学側摺動部３４が備えられている。
【００２１】
光学ケース部３１は、レンズ３０の周囲を囲み、光軸方向Ｚに延びる筒状に形成されている。光学ケース部３１の内周面にレンズ３０の外周面が嵌合され、凹凸部や接着剤などにより固定されている。光学ケース部３１は、シリンドリカルレンズとされたレンズ３０の形状に合わせて、光軸方向Ｚに垂直な断面形状が長手方向に長い矩形筒状に形成されている。光学ケース部３１の各辺は、光軸方向Ｚ、第一直交方向Ｘ、又は第二直交方向Ｙに平行にされている。第一直交方向Ｘは、光学支持部２の長手方向に平行であるものとする。
【００２２】
本実施の形態では、光源ユニット２０は、放熱部５を備えている。放熱部５は、発光部４が発生した熱を外部に放熱する。本実施の形態では、放熱部５は、直方体状のフィン基礎部の一面から矩形板状の複数のフィンが突出したヒートシンクとされている。放熱部５の外形は、直方体状に形成されており、フィン基礎部におけるフィンの突出側とは反対側の面が、光学ケース部３１の後側の開口を覆う大きさとされている。放熱部５には、アルミニウムなどの金属やセラミックなどの熱伝導率の高い材質が用いられる。
【００２３】
光学支持部２は、放熱部５も支持している。本実施の形態では、光学支持部２の後面に、放熱部５がねじなどの締結部材や接着剤などにより固定されている。詳細には、光学ケース部３１の後側の開口を覆うように、光学ケース部３１の後面にフィン基礎部におけるフィンの突出側とは反対側の面が固定される。なお、光学支持部２は、放熱部５と独立して膨張又は縮小するなど変形可能になっているものとする。
【００２４】
本実施の形態では、発光部４は、放熱部５に固定されている。詳細には、発光部４は、光学ケース部３１の内側に、光の照射方向が前側を向く向きで配置され、発光部４の後面が、フィン基礎部の前面に、ねじなどの締結部材や接着剤などにより固定される。発光部４は、レンズ３０の長手方向（本例では第一直交方向Ｘ）に複数並べて配置され、放熱部５に固定されている（不図示）。
【００２５】
金属製支持部１は、金属製の部材である。金属には、例えば、アルミニウム合金などが用いられる。ここで、金属製であるとは、骨格となる主要な部分が金属で形成されており、部分的に樹脂などの金属以外の材質が用いられている場合も含むものとする。
【００２６】
詳細は後述するが、金属製支持部１は、固定部６及び摺動部７を介して、光学支持部２を支持する。金属製支持部１は、骨格となる金属製支持本体部３６と、固定部６における金属製支持部１側の部分を構成する金属側固定部３７と、摺動部７における金属製支持部１側の部分を構成する金属側摺動部３８と、を備えている。また、金属製支持部１は、連結部１０が連結される連結支持部３９を備えている。金属製支持本体部３６、金属側固定部３７、金属側摺動部３８、及び連結支持部３９は、互いに連結された、一体的な部材とされている。本実施の形態では、一つの金属側固定部３７と、二つの金属側摺動部３８と、三つの連結支持部５６、５７、５８が備えられている。
【００２７】
金属製支持本体部３６は、光学支持部２（本例では放熱部５）の後側に間隔を空けて、光軸方向Ｚに直交する方向に延在する板状に形成されている。連結支持部３９は、金属製支持本体部３６に一体的に連結されている。本実施の形態では、金属製支持部１は、上記のように、基礎部２３に対する当該金属製支持部１の取付角度を調節可能な角度可変連結部１０により基礎部２３に連結されている。基礎部２３は、金属製支持部１の後側に間隔を空けて配置される。角度可変連結部１０は、三つの可動連結軸５３、５４、５５により、基礎部２３に対して金属製支持部１を三点支持するように構成されている。金属製支持部１は、光源ユニット２０の荷重を三点で支持し、応力がかかるため、強度が高い金属製とされている。
【００２８】
第一可動連結軸５３は、球ピボット軸とされ、先端に球状の球部４６を有する軸４８と、球部４６を受ける球受部４７とを有している。球部４６と球受部４７との摺動により、球受部４７に対する軸４８の角度が変更可能になっている。本実施の形態では、球受部４７は、金属製支持部１の連結支持部３９に固定され、球受部４７に球部４６が嵌合される。軸４８は、球部４６から後側に延び、後端部が基礎部２３に固定されている。詳細には、球受部４７は、金属製支持本体部３６の下側端部から前側に延出した第一連結支持部５６の前側端部に固定され、軸４８は、球受部４７から後側に延びている。
【００２９】
第二及び第三可動連結軸５４、５５は、送りねじ機構とされ、送りねじ棒４９と、送りナット５０と、送りねじ棒４９を回転させるねじ回転部５１と、送りねじ棒４９を回転可能に支持するねじ棒支持部５２と、を備えている。送りナット５０は、金属製支持部１に固定され、ねじ棒支持部５２が、基礎部２３に固定され、送りねじ棒４９は基礎部２３を貫通し、ねじ回転部５１は基礎部２３の後側に配置されている（図１参照）。ねじ回転部５１により送りねじ棒４９を一方側又は他方側に回転させると、送りナット５０が、基礎部２３に対して送りねじ棒４９の軸方向の一方側又は他方側に移動する。
【００３０】
本実施の形態では、第二可動連結軸５４の送りナット５０は、金属製支持本体部３６の上側端部から前側に延出した第二連結支持部５７の前側端部に固定され、送りねじ棒４９は、送りナット５０から後側に延びている。第三可動連結軸５５の送りナット５０は、金属製支持本体部３６の第一直交方向Ｘの一方側の端部から前側に延出した第三連結支持部５８の前側端部に固定され、送りねじ棒４９は、送りナット５０から後側に延びている。ねじ回転部５１は、工具が係合する係合部とされており、基礎部２３の後側に配置されている。第二可動連結軸５４は、基礎部２３に対する光軸Ｃの角度を第二直交方向Ｙに調節し、第三可動連結軸５５は、基礎部２３に対する光軸Ｃの角度を第一直交方向Ｘに調節する。
【００３１】
１−２．固定部６及び摺動部７の構成
光源ユニット２０は、金属製支持部１と光学支持部２とを部分的に互いに固定する固定部６と、金属製支持部１と光学支持部２とを部分的に互いに摺動可能に支持する摺動部７と、を備えている。摺動部７は、予め定められた摺動方向Ｈに、金属製支持部１と光学支持部２とが互いに摺動可能であり、摺動方向Ｈに直交する予め定められた支持方向Ｓの一方側及び他方側の両側に、金属製支持部１に対して光学支持部２を支持すると共に光学支持部２に対して金属製支持部１を支持するように構成されている。すなわち、摺動部７は、支持方向Ｓの一方側及び他方側の両側に、金属製支持部１及び光学支持部２を相互に支持し合うように構成されている。
【００３２】
この構成によれば、発光部４及び光学部３を支持する支持部を、金属製支持部１と光学支持部２との二つの支持部により構成し、二つの支持部を固定部６と摺動部７とにより相互に支持し合うように構成されている。固定部６により、少なくとも光学部３を支持する光学支持部２を、金属製支持部１に対して位置決めして光学部３の光軸Ｃを固定することができる。金属製支持部１及び光学支持部２の一方又は双方を、例えば、樹脂製や薄肉化した金属製等にして軽量化すると、外力や温度変化により、金属製支持部１及び光学支持部２の一方又は双方が変形し易くなる。例えば、角度可変連結部１０による角度調節や、車両の振動等により外力が金属製支持部１に伝達され、金属製支持部１及び光学支持部２の一方又は双方が変形したり、温度変化により金属製支持部１及び光学支持部２の一方又は双方が膨張又は縮小したりする。金属製支持部１及び光学支持部２の一方又は双方が変形したとしても、摺動部７が予め定められた摺動方向Ｈに摺動することにより、相対的な摺動方向Ｈの変形を逃がすことができる。そのため、変形が拘束されることにより応力が発生して、金属製支持部１及び光学支持部２の一方又は双方に反り等の変形が生じることを抑制することができると共に、一方の摺動方向Ｈの変形により他方が変形することを抑制することができる。
【００３３】
また、摺動部７により、摺動方向Ｈに直交する支持方向Ｓの一方側及び他方側の両側に、金属製支持部１及び光学支持部２を相互に支持し合うように構成されているので、金属製支持部１及び光学支持部２に、支持方向Ｓの反り等の変形が生じることを抑制できる。
【００３４】
よって、金属製支持部１及び光学支持部２の一方又は双方を軽量化しても、温度変化や外力により金属製支持部１及び光学支持部２に反り等の変形が生じることを抑制でき、光軸Ｃのぶれが生じることを抑制できる。すなわち、金属製支持部１及び光学支持部２の一方又は双方の軽量化を図りつつ、温度変化や外力により光軸Ｃのぶれが生じることを抑制できる。
【００３５】
本実施の形態では、光学支持部２は、樹脂製にされている。よって、従来技術のように金属製とされている場合に比べて、光源ユニット２０を大幅に軽量化できる。一方、樹脂製にされると、従来技術のように金属製である場合に比べて、強度が低くなると共に、温度変化により膨張又は縮小し易くなる。しかし、樹脂製の光学支持部２が、温度変化や外力により変形したとしても、上述したように、摺動部７により光学支持部２に反り等の変形が生じることを抑制できるので、光軸Ｃのぶれが生じることを抑制できる。よって、光学支持部２を樹脂製にして軽量化を図りつつ、温度変化や外力により光軸Ｃのぶれが生じることを抑制できる。
【００３６】
本実施の形態では、摺動方向Ｈは、光学支持部２の長手方向と平行状（本例では平行）にされている。光学支持部２の長手方向とは、光学支持部２を光軸方向Ｚに見たときの長手方向である。本例では、長手方向は、光軸方向Ｚに直交する。なお、摺動方向Ｈは、直線方向となっている。
【００３７】
光学支持部２の変形量は、短手方向の変形量よりも長手方向の変形量の方が大きくなり易く、また、光学支持部２は、長手方向の変形により、長手方向に直交する方向に反り易くなる。上記の構成によれば、摺動方向Ｈの変形を、摺動部７の摺動により逃がすことができ、摺動方向Ｈの変形が拘束されることにより、応力が発生し、光学支持部２に反りなどの変形が生じることを抑制できる。また、長手方向に直交する支持方向Ｓの一方側及び他方側の両側に、金属製支持部１に対して光学支持部２が支持されるので、光学支持部２の反りを抑制できる。よって、光学支持部２が長手方向に変形したとしても、光学支持部２の反りを抑制できるので、光軸Ｃを長手方向に微小に平行移動させることができる。そのため、光軸Ｃが傾くことを抑制でき、光源ユニット２０前方の照射範囲が変動することを抑制できる。すなわち、光軸Ｃのぶれが生じることを抑制できる。
【００３８】
また、摺動方向Ｈは、光学部３の光軸方向Ｚと直交状（本例では直交）にされている。この構成によれば、光軸Ｃと直交状の摺動方向Ｈに光学支持部２を変形させることができると共に、この摺動方向Ｈに直交する支持方向Ｓの一方側及び他方側の両側の、光学支持部２の反りを抑制できる。よって、光学支持部２が変形したとしても、光軸Ｃを、光軸Ｃと直交状の摺動方向Ｈに微小に平行移動させることができ、光軸Ｃが傾くことを抑制できる。
【００３９】
支持方向Ｓは、光軸方向Ｚと平行状（本例では平行）にされている。よって、光学支持部２の光軸方向Ｚの反りを抑制することができ、光軸Ｃが傾くことを抑制できる。
【００４０】
摺動部７は、光学支持部２の端部に配置されている。この構成によれば、摺動部７により、光学支持部２の端部まで、光学支持部２の反りを抑制することができる。光軸Ｃのぶれの抑制効果を高めることができる。
【００４１】
固定部６は、一つ備えられ、摺動部７は、複数（本例では二つ）備えられている。この構成によれば、摺動部７を複数設けることにより、光学支持部２及び金属製支持部１の変形の抑制効果を向上させることができる。本実施の形態とは異なり、仮に、固定部６を、間隔を空けて二つ以上備えた場合は、二つの固定部６間の光学支持部２の部分が膨張などにより変形すると、両端が二つの固定部６により拘束されているため、その間の光学支持部２の部分が反るなどの予期しない変形が生じるおそれがある。よって、固定部６を一つだけ備えることにより、このような変形が生じることを防止できる。
【００４２】
本実施の形態では、固定部６を挟んだ光学支持部２の両端部に、摺動部７が配置されている。光学支持部２の両端部に摺動部７を配置することにより、光学支持部２の両端部間の全体的な反りを抑制することができる。
【００４３】
摺動部７は、光学支持部２の長手方向の両端部に配置されている。光学支持部２の長手方向の両端部の反りは、短手方向の両端部の反りよりも大きくなり易い。上記の構成によれば、光学支持部２の反りを効果的に抑制できる。
【００４４】
固定部６は、光学支持部２の長手方向の中央部に配置されている。この構成によれば、光学支持部２を長手方向の中央部で、バランス良く位置決めし、固定することができる。そして、固定部６から長手方向の両側に離れるに従い増加する光学支持部２の反りを、摺動部７により抑制することができる。
【００４５】
固定部６は、光学支持部２の第二直交方向一方側Ｙ１（本例では上側）の端部における中央部に配置され、摺動部７は、光学支持部２の第二直交方向一方側Ｙ１（本例では上側）の端部における長手方向の両端部に配置されている。
【００４６】
本実施の形態では、摺動部７は、金属製支持部１及び光学支持部２のいずれか一方側（本例では金属製支持部１側）に設けられた溝状の摺動溝部１７と、他方側（本例では光学支持部２側）に設けられ、摺動溝部１７に摺動可能に嵌合される凸状の摺動突部１８と、を有している。そして、摺動方向Ｈは、摺動溝部１７の延出方向とされ、支持方向Ｓは、摺動溝部１７の横幅方向とされている。この構成によれば、摺動溝部１７に摺動突部１８を摺動可能に嵌合させることにより、摺動部７を適切に構成することができる。
【００４７】
本実施の形態では、摺動溝部１７は、断面形状が矩形状の溝とされ、摺動突部１８は、断面形状が矩形状の突部とされている。摺動溝部１７は、一直線に延びている。摺動溝部１７の対向する二つの平面状の側面（溝の横幅方向の両側の面）が摺動面とされている。摺動溝部１７の二つの側面のそれぞれに対向する摺動突部１８の二つの平面状の側面が摺動面とされている。これら摺動溝部１７及び摺動突部１８の摺動面に直交する方向（法線方向）が、支持方向Ｓとなる。摺動溝部１７の一方の摺動面が、対向する摺動突部１８の一方の摺動面を、支持方向Ｓの他方側に支持し、摺動溝部１７の他方の摺動面が、対向する摺動突部１８の他方の摺動面を、支持方向Ｓの一方側に支持する。よって、摺動溝部１７は、対向する二つの摺動面により、支持方向Ｓの一方側及び他方側の両側に、摺動突部１８を支持するように構成されている。
【００４８】
金属側摺動部３８は、摺動方向Ｈに延びると共に支持方向Ｓの一方側を向く摺動面と、支持方向Ｓの他方側を向く摺動面とを有し、光学側摺動部３４は、金属側摺動部３８の摺動面のそれぞれと対向する二つの摺動面を有している。本実施の形態では、摺動溝部１７の対向する二つの側面が、金属側摺動部３８が有する支持方向Ｓの一方側を向く摺動面と、支持方向Ｓの他方側を向く摺動面とされている。摺動溝部１７の二つの側面に対向する摺動突部１８の二つの側面が、光学側摺動部３４が有する二つの摺動面とされている。
【００４９】
本実施の形態では、摺動溝部１７及び摺動突部１８の延出方向及び摺動面は、長手方向と平行状（本例では平行）にされており、摺動方向Ｈは、長手方向と平行状（本例では平行）にされている。また、摺動溝部１７及び摺動突部１８の延出方向及び摺動面は、光軸方向Ｚに直交状（本例では直交）にされており、摺動方向Ｈは、光軸方向Ｚに直交状（本例では直交）にされている。摺動溝部１７及び摺動突部１８の摺動面（側面）の法線方向は、光軸方向Ｚと平行状（本例では平行）にされており、支持方向Ｓは、光軸方向Ｚと平行状（本例では平行）にされている。
【００５０】
光学支持部２は、光学ケース部３１の外周側に突出した複数の突出部３２を備えている。これらの突出部３２が、光学側摺動部３４（本例では摺動突部１８）又は光学側固定部３３を構成する。本実施の形態では、突出部３２は、三つ備えられており、光学ケース部３１の第二直交方向一方側Ｙ１（本例では上側）であって後側の端部における、長手方向の中央部及び長手方向の両端部から第二直交方向一方側Ｙ１（上側）に突出している。三つの突出部３２は、互いに間隔を空けて長手方向に一列に並んで配置されている。長手方向の中央の突出部３２は、光学側固定部３３を構成し、長手方向の両端の二つの突出部３２は、摺動突部１８を構成する。光学側固定部３３の長手方向の両側に、摺動突部１８が一つずつ配置されている。
【００５１】
二つの摺動突部１８は、光軸方向Ｚ又は長手方向と平行な辺を有する直方体状に形成されている。よって、二つの摺動突部１８は、光軸方向Ｚに垂直な前面と後面と有しており、これら前面と後面とが、金属側摺動部３８（後述する二つの溝側壁部６３、６４）と摺動する摺動面とされている。
【００５２】
摺動部７は、摺動方向Ｈに交差する方向に隙間を有し、当該隙間分だけ、当該隙間が設けられた方向に摺動可能になっている。本実施の形態では、二つの摺動突部１８の第二直交方向一方側Ｙ１（上側）の面と、金属側摺動部３８（後述する底壁部６５）との間には、第二直交方向Ｙの隙間が設けられている。そして、当該第二直交方向Ｙの隙間分だけ、摺動方向Ｈ及び光軸方向Ｚに直交する第二直交方向Ｙに摺動可能になっている。よって、摺動方向Ｈ以外の方向である第二直交方向Ｙの光学支持部２の変形を逃がすことができ、応力の発生により光学支持部２に反りなどの変形が生じることを抑制できる。
【００５３】
光学側固定部３３も、摺動突部１８と同様の直方体状に形成されている。光学側固定部３３の前面が、金属側固定部３７に当接する当接面とされている。
【００５４】
本実施の形態では、光学支持部２は、二つの摺動突部１８の前面及び後面以外にも、金属製支持部１と摺動する摺動面を有している。光学支持部２は、光学ケース部３１の第二直交方向他方側Ｙ２（本例では下側）であって後側の端部から第二直交方向他方側Ｙ２（下側）に突出した反対側突出部３５を備えている。反対側突出部３５は、光軸方向Ｚ及び長手方向に平行な辺を有する長手方向に長い直方体状に形成されている。反対側突出部３５の第二直交方向他方側Ｙ２（下側）の面は、光軸方向Ｚ及び長手方向に平行な面とされており、金属製支持部１と摺動する摺動面（以下、他方側摺動面と称す）とされている。
よって、光学支持部２は、金属製支持部１により、他方側摺動面を介して、下側から摺動可能に支持されている。
【００５５】
金属製支持部１は、金属製支持本体部３６から前側に延出した複数の延出部４０を備えている。これらの延出部４０が、金属側摺動部３８又は金属側固定部３７を構成する。本実施の形態では、延出部４０は、三つ備えられており、金属製支持本体部３６から前側に突出している。三つの延出部４０は、互いに間隔を空けて長手方向に一列に並んで配置されている。長手方向の中央の延出部４０は、金属側固定部３７を構成し、長手方向の両側の二つの延出部４０は、金属側摺動部３８を構成する。
【００５６】
金属側固定部３７（延出部４０）は、前側に延出している矩形板状の部分６１の前端部から第二直交方向他方側Ｙ２（下側）に延出している固定端部４１を備えている。固定端部４１の後面が、光学側固定部３３の前面に当接し、ねじなどの締結部材や接着剤など（本例では二つのねじ４２）により互いに固定されている。
【００５７】
各金属側摺動部３８（延出部４０）は、前側に延出している矩形板状の部分６２の前端部に、摺動溝部１７を備えている。摺動溝部１７は、第二直交方向他方側Ｙ２（下側）に開口し、長手方向に延びる溝とされている。摺動溝部１７は、溝の底を形成する矩形板状の底壁部６５と、前後方向に間隔を空けて底壁部６５から第二直交方向他方側Ｙ２（下側）に延出した矩形板状の二つの溝側壁部６３、６４と、により構成されている。これら底壁部６５及び溝側壁部６３、６４に囲まれた空間が直方体状の溝とされている。これら底壁部６５及び溝側壁部６３、６４は、光軸方向Ｚ又は長手方向に平行な辺を有する矩形板状に形成されている。
【００５８】
前側の溝側壁部６３は、光軸方向Ｚに垂直な後面を有しており、後側の溝側壁部６３は、光軸方向Ｚに垂直な前面を有しており、これら後面と前面とが、光学側摺動部３４（摺動突部１８）と摺動する摺動面とされている。底壁部６５の第二直交方向他方側Ｙ２（下側）の面と、金属側摺動部３８（摺動突部１８）との間には、第二直交方向Ｙの隙間が設けられている。
【００５９】
金属製支持部１は、金属製支持本体部３６から前側に延出した板状の他方側延出部６６を備えている。他方側延出部６６は、光軸方向Ｚ又は長手方向に平行な辺を有する矩形板状に形成されている。他方側延出部６６の第二直交方向一方側Ｙ１（上側）の面は、光軸方向Ｚ及び長手方向に平行な面とされており、光学支持部２（他方側摺動面）と摺動する摺動面とされている。よって、金属製支持部１は、他方側延出部６６により、光学支持部２を下側から摺動可能に支持している。
【００６０】
２．実施の形態２
次に、実施の形態２に係る光源ユニット２０について説明する。図５は、本実施の形態に係る光源ユニット２０を斜め前方から見た斜視図であり、図６は、光源ユニット２０を斜め後方から見た斜視図であり、図７は、光源ユニット２０を光軸方向Ｚの前側から見た正面図であり、図８は、光源ユニット２０を、図７のＡ−Ａ断面位置における、光軸方向Ｚ及び第二直交方向Ｙに平行な平面で切断した断面図であり、図９は、光源ユニット２０を、図７のＢ−Ｂ断面位置における、光軸方向Ｚ及び第一直交方向Ｘに平行な平面で切断した要部断面図である。
なお、上記の実施の形態１と同様の部分は、説明を省略する。
【００６１】
光学部３は、複数（本例では九つ）のレンズ３０を備えている。複数のレンズ３０は、格子状に配置される。本実施の形態では、複数のレンズ３０が、第一直交方向Ｘ及び第二直交方向Ｙに同数ずつ（本例では三つずつ）並べられた、格子状に配置されている。各レンズ３０は、前面が球面であり、後面が平面である平凸レンズとされており、平凸レンズの周囲が、光軸方向Ｚ、並びに第一直交方向Ｘ又は第二直交方向Ｙに平行な四つの平面で面取りされており、光軸方向Ｚに垂直な断面形状が、矩形状（本例では正方形状）に形成されている。各レンズ３０の光軸Ｃは、互いに平行にされている。
【００６２】
光学ケース部３１は、各レンズ３０の周囲を囲む壁が格子状に形成された格子状壁を有しており、各レンズ３０を収容する収容室６７が格子状に設けられている。本実施の形態では、複数（本例では九つ）の収容室６７が、第一直交方向Ｘ及び第二直交方向Ｙに同数ずつ（本例では三つずつ）並べられた、格子状に配置されている。各収容室は、光軸方向Ｚに延びる筒状であり、光軸方向Ｚに垂直な断面形状が、第一直交方向Ｘ又は第二直交方向Ｙに平行な矩形状（本例では正方形状）である、矩形筒状に形成されている。
【００６３】
光学ケース部３１の外形は、光軸方向Ｚ、第一直交方向Ｘ、及び第二直交方向Ｙに平行な辺を有する直方体状に形成されており、光軸方向Ｚに垂直な断面形状は、正方形状にされている。よって、実施の形態１における光学支持部２の長手方向を、第一直交方向Ｘ及び第二直交方向Ｙのいずれにも設定することができる。すなわち、光学支持部２の長手方向は、第一直交方向Ｘ及び第二直交方向Ｙのいずれであってもよい。
【００６４】
本実施の形態では、放熱部５は、一つのヒートシンクにより構成されている。放熱部５の外形は、光軸方向Ｚ、第一直交方向Ｘ、及び第二直交方向Ｙに平行な辺を有する直方体状に形成されており、光学ケース部３１の全ての収容室６７の後側の開口を覆う大きさとされている。なお、放熱部５は、複数のヒートシンクから構成されてもよい。
【００６５】
実施の形態１と同様に、光学支持部２は放熱部５も支持している。本実施の形態では、光学支持部２（光学ケース部３１）の後面に、放熱部５がねじなどの締結部材や接着剤などにより固定され、光学ケース部３１の全ての収容室６７の後側の開口を覆っている。
【００６６】
実施の形態１と同様に、発光部４は、放熱部５に固定されている。本実施の形態では、発光部４は、各収容室６７に一つ以上ずつ配置され、各発光部４の後面が、放熱部５の前面に固定されている。
【００６７】
本実施の形態では、金属製支持本体部３６は、光学支持部２及び放熱部５の後側に間隔を空けて、第一直交方向Ｘ及び第二直交方向Ｙに延びる十字の板状に形成されている。十字の交差部は、光学支持部２（光学ケース部３１）の中心部と、光軸方向Ｚに見て重複している。連結部１０が連結される連結支持部３９は、十字の四つの端部に一つずつ、合計四つ設けられている。実施の形態１と同様に、金属製支持部１は、取付角度を調節可能な角度可変連結部１０により基礎部２３に連結される。本実施の形態では、角度可変連結部１０は、四つの可動連結軸６８、６９、７０、７１により、十字の四つの端部を四点支持するように構成されている。
【００６８】
十字の第二直交方向他方側Ｙ２（本例では下側）の端部を支持する第一可動連結軸６８は、球ピボット軸とされている。十字の第二直交方向一方側Ｙ１（本例では上側）の端部を支持する第二可動連結軸６９、並びに十字の第一直交方向一方側及び他方側を支持する第三、第四可動連結軸７０、７１は、送りねじ機構とされている。第二可動連結軸６９は、基礎部２３に対する光軸Ｃの角度を第二直交方向Ｙに調節し、第三、第四可動連結軸７０、７１は、基礎部２３に対する光軸Ｃの角度を第一直交方向Ｘに調節する。なお、第一可動連結軸６８も、送りねじ機構とされてもよい。
【００６９】
本実施の形態では、固定部６は、一つ備えられ、摺動部７は、固定部６を中心とした放射状に複数備えられている。そして、摺動部７のそれぞれの摺動方向Ｈは、固定部６を中心とした放射方向に平行状にされている。よって、摺動部７のそれぞれの摺動方向Ｈは、摺動部７のそれぞれと固定部６とを結ぶ直線に平行状にされている。この構成によれば、金属製支持部１及び光学支持部２の一方又は双方が温度変化により膨張又は縮小すると、互いに固定している一つの固定部６を中心に、放射方向に相対的に変形する。上記の構成によれば、摺動部７が放射方向に平行状にされている摺動方向Ｈに摺動することにより、相対的な放射方向の変形を逃がすことができ、変形が拘束されることにより、応力が発生し、金属製支持部１及び光学支持部２の一方又は双方に反り等の変形が生じることを抑制できる。また、摺動部７が、固定部６を中心とした放射状に複数備えられているので、固定部６を中心とした放射状の各摺動部７の配置位置で、金属製支持部１及び光学支持部２に、支持方向Ｓの反り等の変形が生じることを抑制できる。
【００７０】
本実施の形態では、固定部６は、光学支持部２の中心部と光軸方向Ｚに見て重複する位置に配置されている。この構成によれば、光学支持部２の中心部を金属製支持部１に固定して、相対的な変形が生じないようにできる。よって、光源の中心がずれないようにできる。
【００７１】
金属側固定部３７は、金属製支持本体部３６から前側に突出した突部により構成されており、突部の前側端部が、ねじなどの締結部材や接着剤などにより、光学支持部２側に固定されている。本例では、突部の前端端部は、光学支持部２に固定された放熱部５に固定されるように構成されている。すなわち、金属側固定部３７は、放熱部５を介して光学支持部２に固定されるように構成されている。なお、金属側固定部３７は、放熱部５を貫通して光学支持部２に直接固定されるように構成されてもよい。
【００７２】
摺動部７は、光学支持部２の中心部に配置された固定部６を中心とした、十字の放射状に四つ備えられている。この構成によれば、摺動部７により、光学支持部２の中心部を中心とした周囲をバランスよく支持することができ、光学支持部２の周囲に反り等の変形が生じることを抑制できる。本例では、第一摺動部７２は、固定部６の第二直交方向他方側Ｙ２（本例では下側）に配置され、第二摺動部７３は、固定部６の第二直交方向一方側Ｙ１（本例では上側）に配置され、第三摺動部７４は、固定部６の第一直交方向一方側に配置され、第四摺動部７５は、固定部６の第一直交方向他方側に配置されている。第一及び第二摺動部７２、７３の摺動方向Ｈは、これら摺動部７２、７３の固定部６に対する放射方向となる第二直交方向Ｙに平行にされている。第三及び第四摺動部７４、７５の摺動方向Ｈは、これら摺動部７４、７５の固定部６に対する放射方向となる第一直交方向Ｘに平行にされている。なお、摺動方向Ｈは、光軸方向Ｚと直交状（本例では直交）にされている。
【００７３】
放射状に配置された複数の摺動部７は、光学支持部２の端部に配置されている。この構成によれば、複数の摺動部７により、光学支持部２の周囲の端部まで、光学支持部２の全体的な反りを抑制することができる。本例では、第一摺動部７２は、光学支持部２の第二直交方向他方側Ｙ２（下側）の端部に配置され、第二摺動部７３は、光学支持部２の第二直交方向一方側Ｙ１（上側）の端部に配置され、第三摺動部７４は、光学支持部２の第一直交方向一方側の端部に配置され、第四摺動部７５は、光学支持部２の第一直交方向他方側の端部に配置されている。よって、光学支持部２の周囲四辺全ての反りを抑制することができる。
【００７４】
本実施の形態でも、摺動部７は、金属製支持部１及び光学支持部２のいずれか一方側に設けられた溝状の摺動溝部１７と、他方側に設けられ、摺動溝部１７に摺動可能に嵌合される凸状の摺動突部１８と、を備えている。そして、摺動方向Ｈは、摺動溝部１７の延出方向とされ、支持方向Ｓは、摺動溝部１７の横幅方向とされている。本実施の形態では、摺動溝部１７の延出方向は、固定部６を中心とした放射方向に平行状（本例では平行）にされている。摺動溝部１７は、断面形状が矩形状の溝とされ、摺動突部１８は、断面形状が矩形状の突部とされている。
【００７５】
本実施の形態では、図９に示すように、各摺動部７は、溝の開口が互いに対向する二つの摺動溝部１７と、二つの摺動溝部１７に嵌合される二つの摺動突部１８を備えている。
この構成によれば、一方の摺動溝部１７の底面と、他方の摺動溝部１７の底面とが、互いに対向する摺動面とされ、二つの摺動溝部１７の底面のそれぞれと対向する二つの摺動突部１８の突出側の面が、摺動面とされている。そのため、摺動部７は、摺動方向Ｈに直交する支持方向Ｓに加えて、支持方向Ｓ及び摺動方向Ｈに直交する第二支持方向Ｓ２の一方側及び他方側の両側に、金属製支持部１及び光学支持部２を相互に支持し合うことができる。よって、摺動部７は、摺動方向Ｈに直交する全方向に、金属製支持部１及び光学支持部２を相互に支持し合うことができ、摺動方向Ｈに直交する全方向に、反り等の変形が生じることを抑制できる。
【００７６】
本実施の形態では、支持方向Ｓは、光軸方向Ｚと平行状（本例では平行）にされ、第二支持方向Ｓ２は、光軸方向Ｚと直交状（本例では直交）にされている。
第一摺動部７２の二つの摺動溝部１７及び二つの摺動突部１８は、第二直交方向Ｙに延びており、二つの溝の開口は、第一直交方向Ｘに互いに対向している。第二摺動部７３の二つの摺動溝部１７及び二つの摺動突部１８は、第二直交方向Ｙに延びており、二つの溝の開口は、第一直交方向Ｘに互いに対向している。第三摺動部７４の二つの摺動溝部１７及び二つの摺動突部１８は、第一直交方向Ｘに延びており、二つの溝の開口は、第二直交方向Ｙに互いに対向している。第四摺動部７５の二つの摺動溝部１７及び二つの摺動突部１８は、第一直交方向Ｘに延びており、二つの溝の開口は、第二直交方向Ｙに互いに対向している。
【００７７】
本実施の形態では、摺動溝部１７は、金属側摺動部３８に備えられており、摺動突部１８は、光学側摺動部３４に備えられている。
金属側摺動部３８は、十字の板状に形成された金属製支持本体部３６における各片の両横側端部から前側に突出した後、内側に突出した二つのＬ字板状の部材８０を備えている。各摺動部７の二つの摺動溝部１７は、二つのＬ字板状の部材８０と、二つのＬ字板状の部材８０をつなぐ金属製支持本体部３６の部分とにより構成されている。
【００７８】
光学側摺動部３４は、光学ケース部３１の各側面部おける中央部から後側に延出した延出部７６と、延出部７６の後側端部から摺動方向Ｈに延出した矩形板状の突部形成部７７と、を備えている。突部形成部７７の両横側端部が、二つの摺動突部１８とされている。
【００７９】
３．実施の形態３
次に、実施の形態３に係る光源ユニット２０について説明する。図１０は、光源ユニット２０を、光軸方向Ｚ及び第二直交方向Ｙに平行な平面で切断した断面図である。
なお、上記の実施の形態１と同様の部分は、説明を省略する。
【００８０】
本実施の形態では、発光部４は、光学支持部２を介さずに、金属製支持部１に固定されている。この構成によれば、発光部４が発生した熱を、金属製支持部１に伝達させ、光学支持部２に直接伝達させないようにできる。詳細には、金属製支持本体部３６の前面に、各発光部４の後面が、ねじなどの締結部材や接着剤などにより固定される。よって、発光部４の発熱による光学支持部２の温度上昇を抑制でき、光学支持部２の熱膨張を抑制できる。よって、光学支持部２などを更に軽量化したり、摺動部７の構成を簡素化したりすることができる。なお、環境温度の変化や、発光部４から放射される光による発熱などに対しては、摺動部７等の働きにより、光軸Ｃのぶれを抑制できる。また、発光部４の熱を、熱伝導性の良い金属製支持部１に伝達して、効率的に放熱することができる。
【００８１】
金属製支持部１は、放熱部５を支持している。金属製支持本体部３６の後面に、フィン基礎部の前面が、ねじなどの締結部材や接着剤などにより固定されている。よって、金属製支持部１に伝達された発光部４の熱を、放熱部５により効率的に放熱することができる。なお、金属製支持部１が折り曲げられて表面積が増大されたり、金属製支持部１にフィンが形成されたりするなどして、金属製支持部１と放熱部５とが一体形成されてもよい。  
【００８２】
４．実施の形態４
次に、実施の形態４に係る光源ユニット２０について説明する。図１１は、本実施の形態に係る光源ユニット２０を斜め前方から見た斜視図であり、図１２は、光源ユニット２０を、光軸方向Ｚ及び第二直交方向Ｙに平行な平面で切断した断面図である。
なお、上記の実施の形態１と同様の部分は、説明を省略する。
【００８３】
本実施の形態では、摺動部７は、金属製支持部１及び光学支持部２のいずれか一方側に設けられた柱状の柱状部１２と、他方側に設けられ、柱状部１２に摺動可能に嵌合する筒状の筒状部１６と、を備えている。そして、摺動方向Ｈは、柱状部１２の軸方向とされ、支持方向Ｓは、柱状部１２の径方向とされている。この構成によれば、摺動方向Ｈに直交する全方向に、金属製支持部１及び光学支持部２を相互に支持し合うことができ、摺動方向Ｈに直交する全方向に、反り等の変形が生じることを抑制できる。また、柱状部１２が支柱となり、金属製支持部１及び光学支持部２の一方又は双方の強度を高めることができる。柱状部１２を太くするなどして柱状部１２の強度を高めることで、容易に金属製支持部１及び光学支持部２の一方又は双方の強度を高めることができる。
【００８４】
本実施の形態では、柱状部１２は、円柱状に形成されている。柱状部１２は、金属製とされている。柱状部１２は、金属製支持部１側に固定されており、金属側摺動部３８を構成する。筒状部１６は、光学支持部２側に固定されており、光学側摺動部３４を構成する。また、柱状部１２は、光学支持部２の長手方向に沿って延びるように配置されており、摺動方向Ｈは、光学支持部２の長手方向に平行状（本例では平行）にされている。光学ケース部３１及びレンズ３０は、実施の形態１と同様に構成されており、第一直交方向Ｘは、光学支持部２の長手方向に平行であるものとする。
【００８５】
金属側摺動部３８は、金属製支持本体部３６から前側に延出した複数（本例では二つ）の延出部７８を備えており、延出部７８の先端部に柱状部１２が嵌合される貫通孔が形成されている。延出部７８の貫通孔に柱状部１２が嵌合され、ねじなどの締結部材や接着剤などにより、延出部７８と柱状部１２とが互いに固定されている。光学側摺動部３４は、光学ケース部３１から外周側に突出した複数（本例では三つ）の突出部７９を備えている。これらの突出部７９に、柱状部１２が嵌合される貫通孔が形成されている。突出部７９の貫通孔に、柱状部１２が嵌合される。突出部７９の貫通孔の内周面と、柱状部１２の外周面とが摺動面とされている。複数の延出部７８の貫通孔、及び複数の突出部７９の貫通孔は、一つの柱状部１２に嵌合されるため、一列に並ぶように形成され、延出部７８と突出部７９とが互い違いに配置されている。
【００８６】
本実施の形態では、摺動部７は、二組備えられており、二つの柱状部１２と、各柱状部１２に嵌合する二組の筒状部１６と、を備えている。
一方の組の摺動部７は、光学支持部２の第二直交方向一方側Ｙ１（本例では上側）に設けられ、他方の組の摺動部７は、光学支持部２の第二直交方向他方側Ｙ２（本例では下側）に設けられている。よって、長手方向に直交する第二直交方向一方側Ｙ１及び他方側の両側に摺動部７が設けられ、長手方向に長い光学支持部２の反りの抑制効果を高めることができる。
【００８７】
一方の組の三つの突出部７９（筒状部１６）は、光学ケース部３１の第二直交方向一方側Ｙ１（上側）であって後側の端部における、長手方向の中央部及び長手方向の両端部から第二直交方向一方側Ｙ１（上側）に突出している。三つの突出部７９は、互いに間隔を空けて長手方向に一列に並んで配置されている。各突出部７９の間に、延出部７８が配置されている。一方の柱状部１２は、光学ケース部３１の第二直交方向一方側Ｙ１（上側）に配置されている。
【００８８】
他方の組の三つの突出部７９（筒状部１６）は、光学ケース部３１の第二直交方向他方側Ｙ２（下側）であって後側の端部における、長手方向の中央部及び長手方向の両端部から第二直交方向他方側Ｙ２（下側）に突出している。三つの突出部７９は、互いに間隔を空けて長手方向に一列に並んで配置されている。各突出部７９の間に、延出部７８が配置されている。他方の柱状部１２は、光学ケース部３１の第二直交方向他方側Ｙ２（下側）に配置されている。
【００８９】
実施の形態１と同様に、光学ケース部３１の後面に、放熱部５がねじなどの締結部材や接着剤などにより固定され、光学ケース部３１の全ての収容室６７の後側の開口を覆っている。
【００９０】
金属側固定部３７は、実施の形態２と同様に、金属製支持本体部３６から前側に突出した突部により構成されており、突部の前側端部が、ねじなどの締結部材や接着剤などにより、光学支持部２に固定された放熱部５に固定されるように構成されている。なお、金属側固定部３７は、放熱部５を貫通して光学支持部２に直接固定されるように構成されてもよい。
【００９１】
なお、柱状部１２と筒状部１６を備える摺動部７は、一組だけ備えられてもよく、三組以上そなえられてもよい。また、複数の柱状部１２は、互いに平行でなくてもよい。また、柱状部１２の断面形状は、円形でなく、任意の形状とされてもよく、例えば、溝や突部が形成されており、軸周りの回転が規制されるように構成されてもよい。
【００９２】
５．実施の形態５
次に、実施の形態５に係る光源ユニット２０について説明する。図１３は、本実施の形態に係る光源ユニット２０を、光軸方向Ｚ及び第二直交方向Ｙに平行な平面で切断した断面図である。なお、上記の実施の形態１と同様の部分は、説明を省略する。
【００９３】
本実施の形態では、金属製支持部１は、弾性部材１３を介して支持されている。この構成によれば、金属製支持部１を金属製として強度を保ちながら、弾性部材１３により振動や外力を減衰させることができる。弾性部材１３には、ゴムや、金属製のばねや、樹脂製のばね等（本例ではゴム）を用いることができる。
【００９４】
本実施の形態では、金属製支持本体部３６と連結支持部３９との間に弾性部材１３が設けられており、車両側から、連結部１０及び連結支持部３９を介して光源ユニット２０側に、振動が伝わり難くできる。全ての連結支持部３９と金属製支持本体部３６との間に弾性部材１３が設けられている。なお、全ての連結支持部３９と金属製支持本体部３６との間に、弾性部材１３が設けられなくてもよく、弾性部材１３は、金属製支持部１の一か所以上に、任意の位置に設けられてもよい。
【００９５】
６．実施の形態６
次に、実施の形態６に係る光源ユニット２０について説明する。図１４は、本実施の形態に係る光源ユニット２０を、光軸方向Ｚ及び第二直交方向Ｙに平行な平面で切断した断面図である。なお、上記の実施の形態１と同様の部分は、説明を省略する。
【００９６】
本実施の形態では、摺動部７における光学支持部２側の摺動部分は、金属製とされている。この構成によれば、繰り返してかかる外力や温度変化により、摺動部７が繰り返し摺動したとしても、光学支持部２側の摺動部分を金属製とすることで、金属製支持部１側の摺動部分との摺動による摩耗に対する寿命を向上できる。
【００９７】
本実施の形態では、摺動部７における光学支持部２側の摺動部分は、樹脂製の光学支持部２にインサート成型された金属部１５の部分とされている。光学支持部２が樹脂製とされると摩耗に対する耐性が懸念されるが、摺動部分を樹脂にインサート成型された金属部１５とすると、光学支持部２の軽量化を図りつつ、上記のように摩耗に対する寿命を向上できる。
【００９８】
実施の形態１における光学ケース部３１から外周側に突出した突出部３２が、本実施の形態では、樹脂製の光学ケース部３１にインサート成型された直方体状の金属部１５により構成されており、金属部１５が光学ケース部３１から外周側（本例では、第二直交方向一方側Ｙ１）に突出している。
【００９９】
なお、金属の部分は、摺動部７に限らず光学支持部２の任意の箇所に任意の数設けられ、光学支持部２を補強するように構成されてもよい。
【０１００】
実施の形態４において、金属製の柱状部１２を光学支持部２側に固定し、金属製とされた筒状部１６を金属製支持部１側に固定し、金属製の柱状部１２と金属製支持部１側の金属製の筒状部１６とが摺動するように構成されてもよい。具体的には、金属製支持本体部３６から前側に延出した金属製の延出部７８の貫通孔と、柱状部１２とが摺動可能に構成され、光学ケース部３１から突出した突出部７９の貫通孔と柱状部１２とが、ねじなどの締結部材や接着剤などにより固定されてもよい。
【０１０１】
７．実施の形態７
次に、実施の形態７に係る光源ユニット２０について説明する。図１５は、本実施の形態に係る光源ユニット２０を斜め前方から見た斜視図であり、図１６は、摺動部７を光軸方向Ｚの前側から見た要部正面図である。
なお、上記の実施の形態１と同様の部分は、説明を省略する。
【０１０２】
本実施の形態では、摺動部７は、金属製支持部１及び光学支持部２のいずれか一方側に固定される、頭付きのねじ８０と、他方側に設けられ、頭付きねじ８０が貫通する貫通穴が、頭付きねじ８０の貫通方向に直交する横方向に長くなった横長貫通穴部８１と、を備えている。そして、摺動方向Ｈは、横長貫通穴部８１が長くなった横方向とされ、支持方向Ｓは、頭付きねじ８０の貫通方向とされている。この構成によれば、頭付きねじ８０の頭部８２と、頭付きねじ８０が固定される金属製支持部１及び光学支持部２のいずれか一方側の部分とにより、金属製支持部１及び光学支持部２のいずれか他方側の部分を、貫通方向とされた支持方向Ｓの両側から挟み込み、支持方向Ｓの一方側及び他方側に支持することができる。そして、頭付きねじ８０が、横長貫通穴部８１内を横方向に移動することが可能となっており、当該横方向が摺動方向Ｈとなる。よって、頭付きねじ８０と横長貫通穴部８１により、摺動部７を適切に構成することができる。
【０１０３】
本実施の形態では、頭付きねじ８０が固定される一方側の部分は、光学ケース部３１から突出した一方側突部８３とされている。横長貫通穴部８１が設けられる他方側の部分は、金属製支持部１から延出した他方側突部８４とされている。一方側突部８３の支持方向Ｓの他方側（本例では前側）の面と、他方側突部８４の支持方向Ｓの一方側（本例では後側）の面とが摺動可能に当接した状態で、頭付きねじ８０が、他方側突部８４の支持方向Ｓの他方側（前側）から、他方側突部８４に形成された横長貫通穴部８１に挿入され、一方側突部８３に形成されているねじ穴に螺合された後、一方側突部８３から支持方向Ｓの一方側（後側）に突出した頭付きねじ８０の部分に、支持方向Ｓの一方側（後側）からナット（不図示）が螺合されて固定される。頭付きねじ８０の頭部８２は、他方側突部８４の支持方向Ｓの他方側（前側）の面に、摺動可能に当接する。頭部８２と他方側突部８４との間には円環板状のワッシャ８５が設けられている。なお、一方側突部８３が、光学側摺動部３４を構成し、他方側突部８４が金属側摺動部３８を構成する。
【０１０４】
摺動方向Ｈは、光学支持部２の長手方向と平行状（本例では平行）にされている。摺動方向Ｈは、光学部３の光軸方向Ｚと直交状（本例では直交）にされている。摺動部７は、光学支持部２の端部に配置されている。固定部６は、一つ備えられ、摺動部７は、複数（本例では二つ）備えられている。固定部６は、光学支持部２の長手方向の中央部に配置され、摺動部７は、固定部６を挟んだ光学支持部２の長手方向の両端部に配置されている。固定部６は、光学支持部２の第二直交方向一方側Ｙ１（本例では上側）の端部における中央部に配置され、摺動部７は、光学支持部２の第二直交方向一方側Ｙ１（本例では上側）の端部における長手方向の両端部に配置されている。
【０１０５】
光学支持部２は、実施の形態１と同様に、光学ケース部３１から突出した、三つの突出部３２を備えている。三つの突出部３２は、光学ケース部３１の第二直交方向一方側Ｙ１（上側）であって後側の端部における、長手方向の中央部及び長手方向の両端部から第二直交方向一方側Ｙ１（上側）に突出している。三つの突出部３２は、互いに間隔を空けて長手方向に一列に並んで配置されている。長手方向の中央の突出部３２は、光学側固定部３３を構成し、長手方向の両端の二つの突出部３２は、一方側突部８３を構成する。
【０１０６】
二つの一方側突部８３は、光軸方向Ｚ又は長手方向と平行な辺を有する直方体状に形成されている。よって、二つの一方側突部８３は、光軸方向Ｚに垂直な前面を有しており、この前面が、他方側突部８４の後面と摺動する摺動面とされている。二つの一方側突部８３には、光軸方向Ｚに貫通するねじ穴が設けられており、頭付きねじ８０が螺合される。
【０１０７】
金属製支持部１は、金属製支持本体部３６から前側に延出した複数の延出部４０を備えている。これらの延出部４０が、金属側摺動部３８又は金属側固定部３７を構成する。本実施の形態では、延出部４０は、三つ備えられており、金属製支持本体部３６から前側に突出している。三つの延出部４０は、互いに間隔を空けて長手方向に一列に並んで配置されている。長手方向の中央の延出部４０は、金属側固定部３７を構成し、長手方向の両側の二つの延出部４０は、金属側摺動部３８を構成する。
【０１０８】
金属側摺動部３８（延出部４０）は、前側に延出している矩形板状の部分６１の前端部から第二直交方向他方側Ｙ２（下側）に延出している直方体状の他方側突部８４を備えている。他方側突部８４は、光軸方向Ｚ又は長手方向に平行な辺を有する直方体状に形成されている。よって、他方側突部８４は、光軸方向Ｚに垂直な前面及び後面を有しており、他方側突部８４の後面が、一方側突部８３の前面と摺動する摺動面とされ、他方側突部８４の前面が、頭付きねじ８０の頭部８２（本例ではワッシャ８５）と摺動する摺動面とされている。
【０１０９】
他方側突部８４には、光軸方向Ｚに貫通する共に、長手方向に平行になった横方向に長い横長貫通穴部８１が形成されている。頭付きねじ８０は、前側から横長貫通穴部８１に挿入され、他方側突部８４に形成されたねじ穴に螺合される。頭付きねじ８０は、一方側突部８３と他方側突部８４とが摺動可能になる程度のトルクで締め付けられる。頭付きねじ８０は、一方側突部８３を貫通して、後側に突出しており、当該後側の突出部分に後側からナット（不図示）が螺合され、頭付きねじ８０が、一方側突部８３に固定される。光学側固定部３３及び金属側固定部３７は、実施の形態１と同様に構成されており、説明は省略する。
【０１１０】
なお、頭付きねじ８０は、一方側突部８３に形成されたネジ穴に螺合された状態で、ナットではなく、接着剤により固定されてもよい。頭付きねじ８０は、一方側突部８３との間に隙間が生じるように固定されてもよい。また、一方側突部８３に形成されるねじ穴は、一方側突部８３を貫通せずに、支持方向Ｓの他方側（前側）に開口するように形成されてもよい。また、頭付きねじ８０が固定される一方側の部分は、金属製支持部１側に設けられ、横長貫通穴部８１が設けられる他方側の部分は、光学支持部２側に設けられてもよい。
【０１１１】
〔その他の実施形態〕
最後に、本発明のその他の実施の形態について説明する。なお、以下に説明する各実施の形態の構成は、それぞれ単独で適用されるものに限られず、矛盾が生じない限り、他の実施の形態の構成と組み合わせて適用することも可能である。
【０１１２】
（１）上記の各実施の形態においては、光源ユニット２０が車両２２に搭載された状態で、第一直交方向Ｘは、水平方向に平行状にされ、第二直交方向Ｙは、上下方向に平行状にされる場合を例に説明した。しかし、第一直交方向Ｘ及び第二直交方向Ｙは、光源ユニット２０が車両２２に搭載された状態で、任意の方向になるようにされてもよい。例えば、第一直交方向Ｘは、上下方向に平行状にされ、第二直交方向Ｙは、水平方向に平行状にされてもよい。
【０１１３】
（２）上記の各実施の形態においては、光学支持部２は、樹脂製にされている場合を例に説明した。しかし、光学支持部２は、樹脂以外の材質製、例えば金属製にされてもよい。
【０１１４】
（３）上記の各実施の形態においては、摺動部７は、光学支持部２の端部に配置されている場合を例に説明した。しかし、光学支持部２は、光学支持部２の端部に配置されていなくてもよい。
【０１１５】
（４）上記の各実施の形態においては、摺動方向Ｈは、光学支持部２の長手方向と平行状にされている場合を例に説明した。しかし、摺動方向Ｈは、光学支持部２の長手方向と平行状にされていなくてもよく、例えば、摺動方向Ｈは、光学支持部２の短手方向と平行状にされてもよい。
【０１１６】
（５）上記の各実施の形態においては、金属製支持部１は、基礎部２３に対する当該金属製支持部１の取付角度を調節可能な角度可変連結部１０により基礎部２３に連結されている場合を例に説明した。しかし、金属製支持部１は、基礎部２３に対する当該金属製支持部１の取付角度を調節できない連結部１０により基礎部２３に連結されてもよく、金属製支持部１が、基礎部２３に当接して連結されてもよい。
【０１１７】
（６）上記の各実施の形態においては、送りねじ機構における送りねじ棒４９を回転させるねじ回転部５１が、工具が係合する係合部とされている場合を例に説明した。しかし、ねじ回転部５１は、送りねじ棒４９を回転させる電動モータを備えており、車両２２のハンドル操作などに応じて、電動モータを一方側又は他方側に回転させる電子制御により、基礎部２３に対する光軸Ｃの角度を変更可能なように構成されてもよい。
【０１１８】
（７）上記の各実施の形態においては、摺動方向Ｈは、光学部３の光軸方向Ｚと直交状にされている場合を例に説明した。しかし、摺動方向Ｈは、光学部３の光軸方向Ｚと直交状にされていなくてもよい。
【０１１９】
（８）上記の各実施の形態においては、支持方向Ｓは、光学部３の光軸方向Ｚと平行状にされている場合を例に説明した。しかし、支持方向Ｓは、光学部３の光軸方向Ｚと平行状にされていなくてもよい。
【０１２０】
（９）上記の各実施の形態においては、光源ユニット２０は、放熱部５を備えている場合を例に説明した。しかし、光源ユニット２０は、放熱部５を備えていなくてもよい。
【０１２１】
（１０）上記の各実施の形態においては、光学ケース部３１は、筒状に形成されている場合を例に説明した。しかし、光学ケース部３１は、板状や溝状やブロック状などに形成され、筒状に形成されていなくてもよい。
【０１２２】
（１１）上記の各実施の形態においては、光学部３は、レンズ３０を備えている場合を例に説明した。しかし、光学部３は、反射板やプリズムなどを備えていてもよい。
【０１２３】
（１２）上記の各実施の形態においては、各摺動部７は、同一平面上に配置されている場合を例に説明した。しかし、各摺動部７は、異なる平面上に配置されてもよい。
【０１２４】
（１３）上記の各実施の形態においては、固定部６に対する各摺動部７の距離は同一にされている場合を例に説明した。しかし、固定部６に対する各摺動部７の距離は、光学支持部２の形状を考慮するなどして互いに異なるようにされてもよい。
【０１２５】
（１４）上記の各実施の形態においては、発光部４は、放熱部５又は金属製支持部１に固定されている場合を例に説明した。しかし、発光部４は、光学支持部２に固定されていてもよい。
【０１２６】
なお、本発明は、その発明の範囲内において、各実施の形態を自由に組み合わせたり、各実施の形態を適宜、変形、省略したりすることが可能である。
【産業上の利用可能性】
【０１２７】
この発明は、発光部及び光学部が支持部に支持された車載用光源ユニットに好適に利用することができる。
【符号の説明】
【０１２８】
１  金属製支持部、２  光学支持部、３  光学部、４  発光部、５  放熱部、６  固定部、７  摺動部、１０  連結部（角度可変連結部）、１２  柱状部、１３  弾性部材、１５  金属部、１６  筒状部、１７  摺動溝部、１８  摺動突部、２０  車載用光源ユニット（光源ユニット）、２３  基礎部、３０  レンズ、３１  光学ケース部、３３  光学側固定部、３４  光学側摺動部、３６  金属製支持本体部、３７  金属側固定部、３８  金属側摺動部、３９  連結支持部、８０  頭付きねじ、８１  横長貫通穴部、Ｃ  光軸、Ｈ  摺動方向、Ｓ  支持方向、Ｘ  第一直交方向、Ｙ  第二直交方向、Ｙ１  第二直交方向一方側、Ｙ２  第二直交方向他方側、Ｚ  光軸方向  
【図１】
2016203945.tif 000003
【図２】
2016203945.tif 000004
【図３】
2016203945.tif 000005
【図４】
2016203945.tif 000006
【図５】
2016203945.tif 000007
【図６】
2016203945.tif 000008
【図７】
2016203945.tif 000009
【図８】
2016203945.tif 000010
【図９】
2016203945.tif 000011
【図１０】
2016203945.tif 000012
【図１１】
2016203945.tif 000013
【図１２】
2016203945.tif 000014
【図１３】
2016203945.tif 000015
【図１４】
2016203945.tif 000016
【図１５】
2016203945.tif 000017
【図１６】
2016203945.tif 000018
【国際調査報告】
2016203945.tif 000019
2016203945.tif 000020
2016203945.tif 000021
2016203945.tif 000022